(57)【要約】交流発電機試験中に分解能の高い信号および安定した負荷を与える、交流発電機試験方法およびシステムが提供される。この発明に従う方法は、負荷を交流発電機に結合するステップと、負荷が交流発電機またはこれを駆動するモータに結合された後に収集されたパラメータに基づき、交流発電機の動作を評価するステップとを含み、一局面で負荷は第１の所定の期間の間交流発電機にかけられる。この方法はさらに、モータ速度または交流発電機速度が所定のレベルに達した後にのみ交流発電機の速度を検出するステップを含む。負荷が第２の所定の期間の間交流発電機に結合された後、負荷は交流発電機から自動的に切り離され得る。
2004502144.tif 000002
【特許請求の範囲】
【請求項１】
モータにより駆動される交流発電機の動作を評価するための方法であって、
モータ速度または交流発電機速度を検出するステップと、
前記モータ速度または前記交流発電機速度が所定のレベルに達すると、前記交流発電機に負荷を結合するステップと、
前記負荷が第１の所定の期間の間前記交流発電機に結合された後に交流発電機特性を表わす交流発電機出力信号の特性を検出するステップとを含む、方法。
【請求項２】
前記モータは車両のエンジンである、請求項１に記載の方法。
【請求項３】
前記負荷はニクロムコイルである、請求項１に記載の方法。
【請求項４】
交流発電機の動作を評価するための方法であって、
負荷を交流発電機に結合するステップと、
前記負荷が第１の所定の期間の間前記交流発電機に結合された後にのみ、前記交流発電機の出力を表わす交流発電機出力信号の特性を検出するステップとを含む、方法。
【請求項５】
前記第１の所定の期間よりも長い第２の所定の期間の間前記負荷が前記交流発電機に結合された後に、前記交流発電機から前記負荷を切り離すステップをさらに含む、請求項４に記載の方法。
【請求項６】
モータにより駆動される交流発電機の動作を評価するためのシステムであって、
負荷と、
交流発電機特性を表わす交流発電機出力信号を受取るための端子と、
エンジン速度または交流発電機速度を表わす速度信号を生成するセンサと、
前記負荷を前記交流発電機に選択的に結合するためのスイッチ装置と、
前記交流発電機出力信号の特性を判断して前記スイッチ装置の動作を制御するためのコントローラとを含み、
前記エンジン速度または前記交流発電機速度が所定のレベルに達したことを前記速度信号が示すのに応答して、前記コントローラは、前記スイッチ装置を制御するための第１のスイッチ動作信号を生成して前記負荷を前記交流発電機に結合し、
前記コントローラは、前記負荷が第１の所定の期間の間前記交流発電機に結合された後に収集されたパラメータに基づいて、前記交流発電機出力信号の特性を判断する、システム。
【請求項７】
前記負荷はニクロムコイルである、請求項６に記載のシステム。
【請求項８】
前記負荷により生じた熱を放散するための冷却装置をさらに含む、請求項６に記載のシステム。
【請求項９】
前記冷却装置はファンである、請求項８に記載のシステム。
【請求項１０】
前記システムは、手で保持するのに好適なサイズのハウジングに収容される、請求項６に記載のシステム。
【請求項１１】
前記負荷は、前記交流発電機から少なくとも５０アンペアの電流を引出すよう構成される、請求項６に記載のシステム。
【請求項１２】
前記コントローラは、前記負荷が第２の所定の期間の間前記交流発電機に結合された後に、前記スイッチ装置を制御するための第２のスイッチ動作信号を生成して前記負荷を前記交流発電機から切り離す、請求項６に記載のシステム。
【請求項１３】
交流発電機の動作を評価するためのシステムであって、
負荷と、
交流発電機特性を表わす交流発電機出力信号を受取るための端子と、
前記負荷を前記交流発電機に選択的に結合するためのスイッチ装置と、
前記交流発電機出力信号の特性を判断して、前記スイッチ装置を制御するための第１のスイッチ動作信号を生成し前記負荷を前記交流発電機に結合するための、コントローラとを含み、
前記コントローラは、前記負荷が第１の所定の期間の間前記交流発電機に結合された後にのみ収集されたパラメータに基づいて、前記交流発電機出力信号の特性を判断する、システム。
【請求項１４】
前記コントローラは、前記負荷が第２の所定の期間の間前記交流発電機に結合された後に、前記スイッチ装置を制御するための第２のスイッチ動作信号を生成して前記負荷を前記交流発電機から切り離す、請求項１３に記載のシステム。
【請求項１５】
前記交流発電機は、自動車両でバッテリに充電するために用いられる、請求項１３に記載のシステム。
【請求項１６】
交流発電機の動作を評価するための方法であって、
前記交流発電機に負荷を結合するステップと、
前記負荷が第１の所定の期間の間前記交流発電機に結合された後に収集されたパラメータに基づき、前記交流発電機の動作を評価するステップとを含む、方法。
【請求項１７】
交流発電機試験器のハウジングであって、
回路基板を受けるための第１の区画と、
負荷を収容するための第２の区画と、
前記第２の区画の一方側に配置された空気入口と、
前記第２の区画の他方側に空気出口を形成するファンとを含み、
前記負荷、前記空気入口および前記ファンは実質的に一直線上にあり、
前記空気入口および前記ファンは空気流路を形成し、前記ファンの動作時に前記負荷により生じた熱は、周囲の空気へ放散されて前記空気出口を通じ引出され、前記ハウジングは、手で保持するのに好適なサイズを有する、ハウジング。
【請求項１８】
前記試験器は、
前記試験器に接続されたコードを通じて前記負荷を交流発電機に結合するステップと、
前記負荷が第１の所定の期間の間前記交流発電機に結合された後にのみ、交流発電機特性を表わす交流発電機出力信号の特性を検出するステップとによって、前記交流発電機の動作を評価する、請求項１７に記載のハウジング。
【請求項１９】
前記第１の所定の期間よりも長い第２の所定の期間の間前記負荷が前記交流発電機に結合された後に、前記交流発電機から前記負荷を切り離すステップをさらに含む、請求項１８に記載の方法。
【請求項２０】
前記試験器は、交流発電機特性を表わす交流発電機出力信号を受取るための端子と、前記回路基板上に配置され、前記交流発電機出力信号の特性を判断して、前記スイッチを制御するための第１のスイッチ動作信号を生成し前記負荷を前記交流発電機に結合するための、コントローラとを有し、前記コントローラは、前記負荷が第１の所定の期間の間前記交流発電機に結合された後にのみ収集されたパラメータに基づき前記交流発電機出力信号の特性を判断する、請求項１７に記載のハウジング。
【請求項２１】
前記コントローラは、前記負荷が第２の所定の期間の間前記交流発電機に結合された後に、前記スイッチ装置を制御するための第２のスイッチ動作信号を生成して前記負荷を前記交流発電機から切り離す、請求項２０に記載のハウジング。
【請求項２２】
前記第２の区画はさらに、前記負荷付近の場所に配置されかつ前記コントローラに結合されて、前記第２の区画での温度を示す温度信号を生成するための、温度センサと、前記負荷を前記交流発電機に結合するためのスイッチとを収容し、前記コントローラは、温度が所定の値よりも高いことを前記温度信号が示すのに応答して、前記ファンをオンにするための制御信号を生成する、請求項２１に記載のハウジング。
【請求項２３】
前記端子は、無線リンクを通じて前記交流発電機出力信号を受取る、請求項１３に記載のシステム。
【請求項２４】
前記無線リンクは赤外線無線リンクである、請求項２３に記載のシステム。
【請求項２５】
前記無線リンクは無線波無線リンクである、請求項２３に記載のシステム。
【発明の詳細な説明】
【０００１】
【関連出願】
この発明は、２０００年６月２６日に提出された「自動電気システム試験装置および方法（ＡＵＴＯＭＡＴＩＣ ＥＬＥＣＴＲＩＣＡＬ ＳＹＳＴＥＭ ＴＥＳＴＩＮＧ ＡＰＰＡＲＡＴＵＳ ＡＮＤ ＭＥＴＨＯＤＳ）」と題された米国暫定特許出願番号第６０／２１４，２５４号の優先権の利益を主張する。
【０００２】
【発明の分野】
この発明は一般的に交流発電機の試験に関し、より特定的には、試験中における交流発電機と負荷との結合を制御する交流発電機試験方法およびシステムに関するものである。
【０００３】
【発明の背景】
交流発電機とは、機械的な運動を電磁誘導によって交流（ＡＣ）に変換するものである。この交流は次に、ダイオードを含む全波整流ブリッジなどの整流アセンブリを通過し、こうして交流は直流に変換されて他の電気系に電力を与える。たとえば、自動車両の交流発電機はエンジンにより駆動され、こうしてバッテリの充電や前照灯の電力供給などのために電力を車両の電気系に与える。しかしながら、交流発電機の出力は完全に平滑化されたものではない。交流発電機出力の波形は、直流成分上に重なる低強度リプルに類似するものである。
【０００４】
交流発電機の試験は、交流発電機が負荷下にある、すなわち負荷が交流発電機の出力端子に結合されてここから電流を引出す際に行なわれる。交流発電機試験器は多くの場合、交流発電機の出力端子に結合する１組のプローブまたはワイヤを有し、これにより出力電圧、リプル振幅、および平均出力電流など、交流発電機の出力パラメータを検出する。通常、車両交流発電機を試験するための携帯式交流発電機試験器は、最高１０アンペアの電流を引出すことができる負荷を用いる。自動車両で用いられる交流発電機については、負荷下の交流発電機試験は、前照灯、ラジオ、および空調装置など交流発電機により電力が与えられる電気関係の付属品をオンにすることによって行なうことができる。
【０００５】
交流発電機の試験の際にはいくつかの問題が生じ得る。第１に、交流発電機の出力のリプル成分は小さな信号であるため、リプル波形は雑音干渉を被り、観測が困難となるおそれがある。第２に、負荷が交流発電機に結合される際、交流発電機の出力波形は負荷の変化に反応しないことがある、またはこれに必ずしもすぐに反応するわけではない。したがって、交流発電機出力は或る時間が経過するまでは不安定なものとなる。不安定な波形から収集されたパラメータに基づいて試験器が交流発電機の動作を判断すれば、試験結果には誤りが生じるだろう。第３に、負荷として車両の電気関係の付属品を用いると、交流発電機から引出される電流には一貫性がなくなる。こうして、交流発電機出力レベルに変動が多くなるため、精密な試験が困難となる。加えて、交流発電機試験で用いられる負荷は多大な熱を発生し、これにより安全性の懸念が生じることになる。
【０００６】
【発明の概要】
これに従い、交流発電機の正常度を正確に判断する必要性がある。さらに、交流発電機試験で用いるための安定した負荷を提供する必要性がある。さらにまた、安定した交流発電機出力に基づき交流発電機の正常度を評価する必要性がある。加えて、交流発電機を試験するための分解能の高い信号を提供する必要性がある。さらにまた、交流発電機試験中に負荷により生じる熱を放散する必要性がある。
【０００７】
この発明は、これらおよびその他の要求に応じるものである。この発明は、交流発電機試験中における分解能の高い信号および安定した負荷を与える、交流発電機試験方法およびシステムである。この発明の一局面に従うと、交流発電機の動作の評価は、負荷が所定の期間の間交流発電機に結合された後に収集されたパラメータに基づくため、パラメータが反映する交流発電機出力は安定する。別の局面では、負荷は極めて短い期間だけ交流発電機に結合されるため、試験中に発生する熱は減少する。さらに別の局面では、負荷は携帯式のハウジングに収められ、負荷はさらにたとえば５０アンペアなどの大きな電流を交流発電機から引出すことができ、これにより信号分解能が改良される。
【０００８】
この発明に従う方法は、負荷を交流発電機に結合するステップと、負荷が第１の所定の期間の間交流発電機に結合された後に収集されたパラメータに基づき、交流発電機の動作を評価するステップとを含む。
【０００９】
この発明の一局面で交流発電機は、たとえば化石燃料で動力が与えられるエンジンなどのモータにより駆動され得る。この発明の一実施例に従うと、この方法はさらにモータの速度または交流発電機の速度を検出するステップを含む。モータの速度または交流発電機の速度が所定のレベルに達した後にのみ、交流発電機に負荷がかけられる。この発明の別の局面では、負荷は、所定の期間の間交流発電機に結合された後、交流発電機から切り離される。
【００１０】
この発明のシステムは、負荷と、交流発電機の特性を表わす交流発電機出力信号を受取るための端子と、交流発電機に負荷を選択的に結合するためのスイッチ装置とを含む。コントローラは、交流発電機出力信号の特性を判断して、スイッチ装置を制御するための第１のスイッチ動作信号を生成することで、交流発電機に負荷を結合するように構成される。コントローラは、負荷が所定の期間の間交流発電機に結合された後に収集されたパラメータに基づき、交流発電機出力信号の特性を判断する。
【００１１】
この発明の一局面に従うと、システムは手で保持するのに好適なサイズのハウジングに収められる。システムはさらに、負荷により発生する熱を放散するための、ファンなどの冷却装置を含み得る。コントローラは、負荷が所定の期間の間交流発電機に結合された後に、スイッチ装置を制御するための第２のスイッチ動作信号を生成し、交流発電機から負荷を切り離す。
【００１２】
この発明のさらなる利点および新規の特徴は以下の詳細な説明から明らかとなる。この詳細な説明は、この発明を単に例示するものであって限定を加えるものではない。この発明はその他の異なった実施例が可能であり、そのいくつかの詳細は、いずれもこの発明から逸脱することなく種々の明らかな観点で変形可能であることが理解されるであろう。したがって、図面および説明はその本質上限定的ではなく、例示的なものとして考えられるべきである。
【００１３】
添付の図面の図において、限定でなく例としてこの発明を示す。図面では、同様の参照番号は同様の要素を指す。
【００１４】
【好ましい実施例の説明】
以下の記載では、この発明の完全な理解をもたらすために、説明上多くの特定の詳細を記載する。しかしながら、当業者にはこの発明がこれら特定の詳細なしに実施可能であることが明らかであろう。他の場合には、この発明を不必要に不明瞭にすることを避けるために、周知の構造および装置はブロック図の形で示される。
【００１５】
図１は、この発明に従い実現される交流発電機試験システム１００のブロック図を示す。例示のために、試験システムの動作を自動車両の交流発電機に関して説明する。自動車両では、交流発電機（図示せず）は、自動車両のエンジンにより駆動されて電気を発生する。交流発電機の出力は１組のバッテリ端子１２５を介しバッテリ１２３に結合され、ここからバッテリを充電する。
【００１６】
試験システム１００は携帯式装置であることがあり、交流発電機出力を表わす交流発電機出力信号１１３を受取るための端子を有し得る。交流発電機出力信号は、交流発電機充電バッテリ１２３により発生した電流であり得る。これに代えて交流発電機出力信号１１３は、データ処理システムからの、交流発電機出力を表わす信号であることもある。たとえばデータ処理システムは、車両搭載型コンピュータまたはその他の試験機器であり得る。別の局面では、交流発電機出力信号１１３は、無線送信アセンブリにより生成された信号であることがあり、無線送信アセンブリは交流発電機特性を表わす信号を無線送信する。
【００１７】
試験システム１００は、マイクロコントローラ１０１、アナログデジタル変換器１０５およびディスプレイ１０３を有する。マイクロコントローラ１０１はデータを処理して制御信号を生成する。アナログデジタル変換器１０５はアナログ信号をデジタル信号に変換する。ディスプレイ３０４は使用者とのコミュニケーションインターフェイスをもたらし、ＬＣＤスクリーン、ＬＥＤインジケータなどであり得る。マイクロコントローラ１０１はＦＥＴスイッチなどのスイッチ装置１２１を制御でき、これは負荷１１７を交流発電機と選択的に結合する。図１に示すように、スイッチ装置１２１と負荷１１７とは直列接続され、さらにこれらはバッテリ端子１２５を介し交流発電機と並列結合される。スイッチ装置１２１がオンであれば、負荷１１７は交流発電機と結合され、スイッチ装置１２１がオフであれば、負荷１１７は交流発電機から切り離される。交流発電機と負荷との結合の制御には、当業者に公知であるその他の回路設計技術を用いることも可能である。
【００１８】
負荷１１７は、交流発電機から大きな電流を引出すことができかつ負荷にかかる電圧を小さく維持できる構成要素であればどのようなものでもよく、たとえばコイル状に巻き付けられたニクロム線であり得る。たとえば負荷１１７は、交流発電機から５０アンペアの電流を引出すニクロムコイルであり得る。ニクロムコイルの負荷は、コンパクトなサイズを維持しながらかなりの量の電流を扱うことができるので有利である。マイクロコントローラ１０１により制御される冷却ファンなどの冷却装置１１５は、負荷１１７により生じる熱を放散する助けとして設けられ得る。
【００１９】
交流発電機試験はどのような交流発電機速度またはエンジン速度で行なわれてもよいが、安定した交流発電機出力信号を交流発電機が確実に生成するように１５００ｒｐｍ以上などの安定したエンジン速度にエンジンを駆動することになるだろう。これに代えてアイドルエンジン速度で試験を行なってもよい。使用者は、タコメータからの読取値を観測して、エンジン速度が或るレベルに達したことをシステムに示すことができる。これに代えて、経験を積んだ使用者であれば、エンジンで生じる可聴雑音に基づいてエンジン速度を判断することができるであろう。一実施例に従うと、システムはエンジン速度または交流発電機速度を表わす信号を、車両コンピュータまたはその他の試験機器など他のデータ処理システムから受取り得る。エンジン速度または交流発電機速度を表わす信号はマイクロコントローラ１０１に送り込まれ、ここで処理されることになる。
【００２０】
エンジン速度または交流発電機速度が所定のレベル、たとえばエンジン速度の場合には１５００ｒｐｍに達すると、マイクロコントローラ１０１は第１のスイッチ制御信号を生成してスイッチ３２４をオンにし、こうして負荷１１７はバッテリ端子１２５を介し交流発電機に結合される。今や交流発電機は負荷の下で動作中である。
【００２１】
交流発電機出力信号１５１はまず、バッテリ端子１２５で捉えられた調波および雑音を除去するために帯域通過フィルタ１１３を通過し得る。帯域通過フィルタ１１３の通過帯域は１００Ｈｚから４ｋＨｚであり得る。次に交流発電機出力信号１５１は増幅器１１１を通過し、これにより信号レベルが増幅される。
【００２２】
次に交流発電機出力信号１５１は検出回路１０９に送り込まれる。検出回路１０９はパラメータ信号１５３を生成するが、これは、リプル振幅および電圧レベルなどの、交流発電機出力信号１５１のパラメータを表わす。この電流は、従来のフィルタ処理および負荷検出を用いて所望の交流発電機パラメータをもたらすことができる。同じ発明者による共通譲渡された「リプルの検出を用いた交流発電機の試験方法およびシステム（Ａｌｔｅｒｎａｔｏｒ Ｔｅｓｔｉｎｇ Ｍｅｔｈｏｄ ａｎｄ Ｓｙｓｔｅｍ Ｕｓｉｎｇ Ｒｉｐｐｌｅ Ｄｅｔｅｃｔｉｏｎ）」と題された、同時出願された同時係属の非暫定特許出願番号第＿＿＿号には、実現され得る或る特定のリプル検出回路および方法が記載されている。この開示はここで引用により援用される。マイクロコントローラ１０１がパラメータを用いて交流発電機特性を判断する。交流発電機出力信号のパラメータを用いて交流発電機動作を判断する技術は、米国特許第３，６２９，７０４、第４，４５９，５４８号および第４，３１５，２０４号に記載されており、これらはここで引用により援用される。パラメータ信号１５３はアナログデジタル変換器１０５に送られてから、マイクロコントローラ１０１に送られる。
【００２３】
この発明の一実施例に従うと、負荷１１７がバッテリ端子１２５を介し交流発電機と結合するとすぐに交流発電機出力信号１５１のパラメータが入手可能となるかもしれないが、マイクロコントローラ１０１は、負荷１１７が所定の期間、たとえば０．７５秒間交流発電機に結合された後にのみ収集されたパラメータに基づいて、交流発電機の正常度を評価することになる。所定の期間は交流発電機出力信号が安定したときとなるように選択され、交流発電機モデル、交流発電機定格、負荷の種類などのパラメータに基づいて経験的に設定され得る。
【００２４】
この発明の別の局面では、負荷１１７が所定の期間、たとえば１秒間交流発電機に結合された後、マイクロコントローラ１０１は第２のスイッチ制御信号を出してスイッチ装置１２１をオフにし、こうして負荷１１７を交流発電機から切り離す。負荷１１７が交流発電機に結合される期間が短いため、負荷１１７を通過する電流により生じる熱は最小限となる。所定の期間は、負荷がここを通過する電流によって過度に熱くなる前の時点で選ばれる。所定の期間は、しきい値温度、交流発電機モデル、交流発電機定格、負荷の種類などのパラメータに基づいて経験的に設定され得る。
【００２５】
ファンなどの冷却装置１１５はマイクロコントローラ１０１により制御され、負荷１１７で生じる熱を放散する助けとして実現され得る。試験システム１００は温度センサ１１９を有し、これは負荷１１７付近に配置されて、負荷１１７の温度またはこの付近の温度を示す温度信号を生成してマイクロコントローラ１０１へ送る。マイクロコントローラ１０１は検出された温度に基づいて冷却装置１１５の動作を制御する。温度が７０℃などの所定の温度よりも高ければ、マイクロコントローラ１０１は冷却装置１１５をオンにするための信号を出す。温度が所定の温度よりも低ければ、マイクロコントローラ１０１は冷却装置１１５をオフにするための信号を出す。
【００２６】
図２は、負荷１１７を交流発電機に結合するための制御回路２０７と、冷却を目的としたファンの動作を制御するための調整回路２０５とを例示する。制御回路２０７は論理集積回路２０６を含み、これはマイクロコントローラ１０１から制御信号を受取り、これに応答してスイッチ制御信号２０８を生成してＦＥＴスイッチ１２１のオン／オフを制御し、こうして交流発電機と負荷１１７との結合を制御する。
【００２７】
調整回路２０５はファンの動作を制御する。トランジスタ２０４がファンの電圧を調整する。ファンは電源に対しＦＥＴスイッチ２０２を介して結合し、これはマイクロコントローラ１０１が生成する制御信号によって制御される。ＦＥＴスイッチ２０２は、制御信号の内容に応答してファンの電力をオンまたはオフにする。負荷１１７での温度が過度に高くなると、マイクロコントローラは、ＦＥＴスイッチ２０２を制御するための制御信号を生成してファンを電源に結合し、こうしてファンをオンにする。負荷１１７の温度が所定の温度を下回れば、マイクロコントローラ１０１はＦＥＴスイッチ２０２を制御するための別の制御信号を生成してファンの電力をオフにする。
【００２８】
図３は、この発明に従い実現される交流発電機試験システムによって実行される試験手順を例示するフロー図である。ステップ３０１およびステップ３０３で、マイクロコントローラ１０１は、エンジン速度または交流発電機速度が所定の速度に達したかどうかを判断する。もし達していなければ、マイクロコントローラは判断を継続する。所定の速度に達していれば、マイクロコントローラ１０１はスイッチをオンにするためのスイッチ制御信号を生成して負荷を交流発電機に結合する。マイクロコントローラ１０１はさらにタイマをオンにする（ステップ３０５）。ステップ３０７で、マイクロコントローラ１０１はタイマを読取り、負荷が０．７５秒より長く交流発電機に結合されているかどうかを判断する。もしそうでなければ、マイクロコントローラ１０１は判断を継続し、もしそうであれば、マイクロコントローラ１０１は０．７５秒より後に収集された交流発電機出力信号のパラメータに基づき交流発電機の正常度の判断を開始する（ステップ３０９）。それからマイクロコントローラ１０１は、負荷が１秒よりも長く交流発電機に結合されているかどうかを判断する（ステップ３１１）。もしそうでなければ、マイクロコントローラ１０１は判断を継続し、もしそうであれば、マイクロコントローラ１０１はスイッチをオフにするためのスイッチ制御信号を出して交流発電機から負荷を切り離す（ステップ３１３）。次にマイクロコントローラ１０１はディスプレイに判断結果を生成し、タイマをリセットする（ステップ３１５およびステップ３１７）。
【００２９】
図４は、この発明に従って実現される冷却構成を、ハウジング４００の一部とともに例示する。ハウジング４００は手で保持するのに好適なサイズを有し、回路基板４５０を受け、この回路基板上にはマイクロコントローラ１０１、検出回路１０９、帯域通過フィルタ１１３、増幅器１１１、およびその他の構成要素がある。温度センサ１１９は負荷感知要素としてニクロムコイル１１７付近の場所に配置される。スイッチ１２１はＦＥＴタイプのスイッチであることができ、コイル１１７と直列接続される。空気入口４１１がハウジングの一方側に配置され、ファン４０１がハウジングの他方側に配置され、こうして空気入口４１１とファン４０１との間の線状の通路４１３がファン４０１の動作時における空気流路を形成する。通路は壁４１０によって定められ、これは空気流路をハウジングの残りから隔離する。コイル１１７によって生じた熱は周囲の空気へ放散されて、図に示すようにファン４０１自体で確立される出口を通じてハウジング４００から引出される。
【００３０】
上述の実施例は、所望のどのようなシステムまたはエンジンと用いてもよい。これらのシステムまたはエンジンは、ガソリン、天然ガス、プロパンなどの化石燃料、風力、およびこれらのハイブリッドまたは組合せを利用した器具を含むことができる。これらのシステムまたはエンジンは、自動車、トラック、小型または大型の船、オートバイ、発電機、および飛行機など他のシステムに組み込まれ得る。これら実施例は、約１２ボルトおよび約４２ボルトなど、適当であるどの電圧レベルを含んでもよく、または適当であるどの電圧レベルで利用してもよい。
【００３１】
例示的な実施例との関連でこの発明を説明したが、この発明は開示された実施例に限定されるのでなく、前掲の特許請求の範囲の精神および範囲内に含まれる種々の変形物および均等な構成を包含することが意図されていると理解されるべきである。
【図面の簡単な説明】
【図１】この発明に従って実現される交流発電機試験システムを示すブロック図である。
【図２】この発明に従って実現される交流発電機試験システムで用いられる構成要素を例示する回路図である。
【図３】この発明に従って実現される交流発電機試験システムにより実行される試験手順を例示するフロー図である。
【図４】この発明に従って実現される冷却構成を例示する図である。
【図１】
2004502144.tif 000003
【図２】
2004502144.tif 000004
【図３】
2004502144.tif 000005
【国際公開パンフレット】
2004502144.tif 000006
2004502144.tif 000007
2004502144.tif 000008
2004502144.tif 000009
2004502144.tif 000010
2004502144.tif 000011
2004502144.tif 000012
2004502144.tif 000013
2004502144.tif 000014
2004502144.tif 000015
2004502144.tif 000016
2004502144.tif 000017
2004502144.tif 000018
2004502144.tif 000019
2004502144.tif 000020
2004502144.tif 000021
2004502144.tif 000022
2004502144.tif 000023
2004502144.tif 000024
2004502144.tif 000025
【国際公開パンフレット（コレクトバージョン）】
2004502144.tif 000026
2004502144.tif 000027
【国際調査報告】
2004502144.tif 000028
2004502144.tif 000029
2004502144.tif 000030
2004502144.tif 000031
2004502144.tif 000032